(57)【要約】【課題】特定の２方向から光学的に読み取られる画像をそれぞれ異ならせるようにする。【解決手段】画像形成装置１は、記録媒体上に点状画像を配置して第１の情報を示す第１画像を形成する現像部１３Ｈと、第１の情報と異なる第２の情報を示す第２画像を形成する現像部１３Ｌとを備える。現像部１３Ｈは、予め定められた帯域の光を吸収する顔料を含み、記録媒体上に配置されると前記光を正反射する割合が閾値以上であり、且つ、正反射方向と異なる方向である特定方向に当該光を反射する割合が閾値未満である第１トナーにより前記第１画像を形成する。現像部１３Ｌは、前記光を吸収する顔料を含み、前記記録媒体上に配置されると前記光を正反射する割合が閾値未満であり、且つ、当該光を特定方向に反射する割合が閾値未満である第２トナーにより、前記第２画像を形成する。【選択図】図１
2012159743.tif 000002
【特許請求の範囲】
【請求項１】
予め定められた帯域の入射光を正反射方向及び前記正反射方向以外の特定方向に反射する割合がいずれも閾値以上である記録媒体の面に、前記入射光を前記正反射方向に反射する割合が前記閾値以上になり、前記特定方向に反射する割合が前記閾値よりも小さくなる第１画像を形成する第１画像形成手段と、
前記入射光を前記正反射方向及び前記特定方向に反射する割合がいずれも前記閾値よりも小さくなる第２画像を、前記面のうち、当該第１画像が形成された位置と異なる位置に形成する第２画像形成手段と
を具備することを特徴とする画像形成装置。
【請求項２】
前記第１画像は、前記入射光を正反射方向に反射する割合が前記記録媒体以上になるとともに、前記入射光を前記特定方向に反射する割合が前記記録媒体よりも小さくなり、
前記第２画像は、前記入射光を前記正反射方向及び前記特定方向に反射する割合が前記記録媒体よりも小さくなる
ことを特徴とする画像形成装置。
【請求項３】
前記光は、赤外線である
ことを特徴とする請求項１または２に記載の画像形成装置。
【請求項４】
前記第１画像におけるＪＩＳ規格Ｐ８１４２に基づく７５度鏡面光沢度が２５以上であり、
前記第２画像における前記７５度鏡面光沢度が２０未満である
ことを特徴とする請求項１から３のいずれかに記載の画像形成装置。
【請求項５】
予め定められた帯域の入射光を正反射方向及び前記正反射方向以外の特定方向に反射する割合がいずれも閾値以上である面を有し、
前記面の中に、前記入射光を前記正反射方向に反射する割合が前記閾値以上になり、前記特定方向に反射する割合が前記閾値よりも小さくなる第１画像が形成され、
前記入射光を前記正反射方向及び前記特定方向に反射する割合がいずれも前記閾値よりも小さくなる第２画像が、前記面のうち、当該第１画像が形成された位置と異なる位置に形成されている
ことを特徴とする記録媒体。
【発明の詳細な説明】
【技術分野】
【０００１】
本発明は、画像形成装置および記録媒体に関する。
【背景技術】
【０００２】
記録媒体上に形成された画像の光沢差を情報の伝達に用いる技術が開発されている。例えば特許文献１には、冷却定着部によって定着処理を行うとトナー像の表面を一様に平滑にさせ、高温定着部によって定着処理を行うと弾性透明トナー像のみを隆起させる画像形成装置が記載されている。この画像形成装置は、冷却定着と高温定着とを繰り返すことで記録媒体上に形成された画像を不可視状態にしたり可視状態にしたりすることができる。
【先行技術文献】
【特許文献】
【０００３】
【特許文献１】特開２００９−１５２０８号公報
【発明の概要】
【発明が解決しようとする課題】
【０００４】
本発明の目的は、特定の２方向から光学的に読み取られる画像をそれぞれ異ならせるようにすることにある。
【課題を解決するための手段】
【０００５】
上述した課題を解決するため、本発明の請求項１に係る画像形成装置は、予め定められた帯域の入射光を正反射方向及び前記正反射方向以外の特定方向に反射する割合がいずれも閾値以上である記録媒体の面に、前記入射光を前記正反射方向に反射する割合が前記閾値以上になり、前記特定方向に反射する割合が前記閾値よりも小さくなる第１画像を形成する第１画像形成手段と、前記入射光を前記正反射方向及び前記特定方向に反射する割合がいずれも前記閾値よりも小さくなる第２画像を、前記面のうち、当該第１画像が形成された位置と異なる位置に形成する第２画像形成手段とを具備することを特徴とする。
【０００６】
本発明の請求項２に係る画像形成装置は、請求項１に記載の態様において、前記第１画像は、前記入射光を正反射方向に反射する割合が前記記録媒体以上になるとともに、前記入射光を前記特定方向に反射する割合が前記記録媒体よりも小さくなり、前記第２画像は、前記入射光を前記正反射方向及び前記特定方向に反射する割合が前記記録媒体よりも小さくなることを特徴とする。
また、本発明の請求項３に係る画像形成装置は、請求項１または２に記載の態様において、前記光は、赤外線であることを特徴とする。
また、本発明の請求項４に係る画像形成装置は、請求項１から３のいずれかに記載の態様において、前記第１画像におけるＪＩＳ規格Ｐ８１４２に基づく７５度鏡面光沢度が２５以上であり、前記第２画像における前記７５度鏡面光沢度が２０未満であることを特徴とする。
【０００７】
また、本発明の請求項５に係る記録媒体は、予め定められた帯域の入射光を正反射方向及び前記正反射方向以外の特定方向に反射する割合がいずれも閾値以上である面を有し、前記面の中に、前記入射光を前記正反射方向に反射する割合が前記閾値以上になり、前記特定方向に反射する割合が前記閾値よりも小さくなる第１画像が形成され、前記入射光を前記正反射方向及び前記特定方向に反射する割合がいずれも前記閾値よりも小さくなる第２画像が、前記面のうち、当該第１画像が形成された位置と異なる位置に形成されていることを特徴とする。
【発明の効果】
【０００８】
請求項１に記載の画像形成装置によれば、特定の２方向から光学的に読み取られる画像をそれぞれ異ならせることができる。
請求項２に記載の画像形成装置によれば、入射する入射光の反射の割合が、記録媒体における反射の割合以上であるか否かに応じて、画像が読み取られる場合に、特定の２方向から光学的に読み取られる画像をそれぞれ異ならせることができる。
請求項３に記載の画像形成装置によれば、記録媒体から読み取られる少なくとも２種の画像が、不可視であり、可視光により視認される可視画像を妨げない。
請求項４に記載の画像形成装置によれば、読み取り装置により、特定の方向から表面の或る範囲を読み取った画像が、この方向と異なる方向からその範囲を読み取った画像と異なるように、記録媒体上に画像が一定の品質で形成される。
請求項５に記載の記録媒体によれば、読み取り装置により、特定の方向から表面の或る範囲を読み取ったときの画像と、この方向と異なる方向からその範囲を読み取ったときの画像がそれぞれ提供される。
【図面の簡単な説明】
【０００９】
【図１】本実施形態に係る画像形成装置の全体構成を示す図である。
【図２】点状画像の一例を示す図である。
【図３】トナー調製のための試験を説明するための図である。
【図４】入射光に対する反射光の強度の割合を示す図である。
【図５】画像形成装置により画像が形成された記録媒体の一例を示す図である。
【発明を実施するための形態】
【００１０】
１．実施形態
以下、本発明の実施形態を説明する。なお、本発明の説明に使用する用語を以下のように定義する。
「光」とは、可視光線のほか少なくとも赤外線を含む電磁波である。
「ＪＩＳ規格Ｐ８１４２」とは、日本工業規格により定められた「紙及び板紙の７５度鏡面光沢度試験方法」である。
【００１１】
１−１．画像形成装置の全体構成
図１は、本実施形態に係る画像形成装置１の全体構成を示す図である。同図に示すように、画像形成装置１は、供給部１１と、光走査部１２と、現像部１３Ｈ，１３Ｌと、転写部１４と、定着部１５と、排出部１６と、制御部１９とを備えている。これらの供給部１１、光走査部１２、現像部１３Ｈ，１３Ｌ、転写部１４、定着部１５及び排出部１６は、制御部１９によって制御される。なお、符号末尾のアルファベットＨは、光沢度の高い高光沢トナーに対応した構成を意味しており、アルファベットＬは、この高光沢トナーに比べて光沢度の低い低光沢トナーに対応した構成であることを意味している。現像部１３Ｈ，１３Ｌのそれぞれは、用いるトナーが異なるのみであって、その構成に大きな差異はない。以下、高光沢トナーおよび低光沢トナーのそれぞれを特に区別する必要がない場合には、単にトナーという。また、現像部１３Ｈ，１３Ｌのそれぞれを特に区別する必要がない場合には、トナーの種類を示す符号末尾のアルファベットを省略して「現像部１３」とする。各トナーの詳細については後述する。トナーはキャリアと混合されることによりキャリアから電荷を付与される。混合されたトナーとキャリアは現像剤として現像部１３に供給される。
【００１２】
供給部１１は、予め定められたサイズにカットされた、記録媒体としての用紙Ｐを収容する。供給部１１に収容されている用紙Ｐは、制御部１９の指示により１枚ずつ取り出され、用紙搬送路を経由して転写部１４へと搬送される。なお、記録媒体は用紙に限らず、
例えば樹脂製のシート等であってもよい。
制御部１９は、トナーごとに個別の画像データをＲＡＭ（Random Access Memory）などに対応付けて記憶しており、光走査部１２は、制御部１９の制御の下、各画像データに応じたビーム光をそれぞれ生成して対応する現像部１３Ｈ，１３Ｌへ照射する照射装置を備えている。
トナーごとに対応付けられた画像データは、点状の画像である点状画像を格子状に配列し、その配列パターンによって情報を表すものである。点状画像およびその配置の詳細については後述する。
【００１３】
転写部１４は、中間転写ベルト１４１と、ベルト搬送ロール１４２と、二次転写ロール１４３と、クリーナバックアップロール１４４と、ステアリングロール１４５と、張架ロール１４６と、一次転写ロール１４７Ｈ，１４７Ｌ（以下、これらを特に区別する必要がない場合には、総称して一次転写ロール１４７という）と、ベルトクリーナ１４９とを備えており、現像部１３によって形成された画像を用紙Ｐに転写する転写装置である。中間転写ベルト１４１は周回移動する無端の帯状部材であり、ベルト搬送ロール１４２と、クリーナバックアップロール１４４と、ステアリングロール１４５と、張架ロール１４６と、一次転写ロール１４７とによって掛け渡される。
【００１４】
ベルト搬送ロール１４２にはモータ等の駆動部（図示せず）が歯車等を介して連結されており、中間転写ベルト１４１を図中の矢印Ｄ１４方向に周回移動させる。なお、駆動部と連結されていない他のロールは、中間転写ベルト１４１の周回移動に伴って回転する。中間転写ベルト１４１が図中の矢印Ｄ１４方向に周回移動して回転することにより、転写部１４が転写した画像は、ベルト搬送ロール１４２と二次転写ロール１４３とが接する領域に移動させられる。二次転写ロール１４３は、中間転写ベルト１４１の外側においてベルト搬送ロール１４２に向かい合う位置に設けられており、ベルト搬送ロール１４２とともに中間転写ベルト１４１を挟持する。二次転写ロール１４３は、例えば接地されることにより、予め定められた電位が維持されている。
【００１５】
ベルト搬送ロール１４２は、中間転写ベルト１４１と接触している部位を内側から外側に向けて押すとともに、この接触部位をトナーと同極性に帯電させる。これにより、中間転写ベルト１４１のうちこの接触部位と、二次転写ロール１４３との間に予め定められた電位差が生じるため、この電位差によって、中間転写ベルト１４１上の画像は供給部１１から搬送されてきた用紙Ｐに転写される。
【００１６】
ベルトクリーナ１４９は、中間転写ベルト１４１の表面に残留している未転写のトナーを取り除く。クリーナバックアップロール１４４は、ベルトクリーナ１４９に向かい合う位置において内側から中間転写ベルト１４１を支え、ベルトクリーナ１４９によるトナーの清掃を支援する。
【００１７】
張架ロール１４６は、一次転写ロール１４７Ｈからベルト搬送ロール１４２までの中間転写ベルト１４１を内側から支える。そして、転写部１４は、画像が転写された用紙Ｐを定着部１５へと搬送する。
【００１８】
各現像部１３は、像を保持する像保持体の一例としての感光体ドラム１３１をそれぞれ備えている。各感光体ドラム１３１は、光走査部１２から照射される光に応じた潜像を保持する。各現像部１３は、それぞれ対応するトナーを用いて、感光体ドラム１３１が保持している潜像から各トナーに対応付けられた画像データにより示される画像をそれぞれ形成する。具体的には、感光体ドラム１３１の表面にトナーと同極性の電荷を保持させ、その表面に対して光走査部１２により光を照射することで電荷を失った部分にトナーを付着させることで、現像部１３は画像を形成する。
【００１９】
そして、上述したとおり、中間転写ベルト１４１の内側において、各感光体ドラム１３１に向かい合う位置に一次転写ロール１４７が設けられている。一次転写ロール１４７は、中間転写ベルト１４１と接触している部位を内側から外側に向けて押すとともに、この接触部位をトナーと逆極性に帯電させる。これにより、中間転写ベルト１４１のうちこの接触部位と、一次転写ロール１４７に向かい合う感光体ドラム１３１との間に電位差が生じるため、中間転写ベルト１４１に画像が転写される。
画像が転写された後、感光体ドラム１３１の表面はクリーナによって除電されるとともに、残留している未転写のトナーが取り除かれる。
【００２０】
定着部１５は、加熱ロールと加圧ロールとを備え、これらを用いた加熱及び加圧により、用紙Ｐに転写された画像をその用紙Ｐに定着させる。排出部１６は、定着部１５による定着処理を経た用紙Ｐを画像形成装置１の上部に設けられた用紙置き場に排出する。制御部１９は、通信可能に接続された外部機器２から受け取った指示の信号や、図示しない操作部によるユーザの操作等に応じて、現像部１３等の画像形成装置１の各構成を制御して、用紙Ｐに画像を形成させる。
【００２１】
１−２．点状画像
図２は、点状画像の一例を示す図である。同図に示すように用紙Ｐにはトナーにより点状の画像である点状画像が格子状に配置され、その配置パターンに応じた情報を示す画像が形成される。この画像が配置される位置には、上述した現像部１３Ｈによる高光沢トナーまたは現像部１３Ｌによる低光沢トナーが円形のドットすなわち点状画像として塗布される。なお、これらの点状画像は格子状に隙間なく配置されるのではなく、高光沢トナーおよび低光沢トナーのいずれも配置されない箇所もある。以下、同図に示すように、高光沢トナーによる点状画像を点状画像ＧH、低光沢トナーによる点状画像を点状画像ＧL、高光沢トナーおよび低光沢トナーのいずれも配置されていない領域を空白領域Ｂとする。点状画像ＧH、および点状画像ＧL、のそれぞれの配置により用紙Ｐ上には２種類の情報をそれぞれ示す画像が形成される。
【００２２】
１−３．現像剤
１−３−１．キャリア
現像剤は、トナーとキャリアを含む、いわゆる二成分現像剤である。この二成分現像剤に使用し得るキャリアとしては、特に制限はなく、公知のキャリアが用いられる。例えば酸化鉄、ニッケル、コバルト等の磁性金属、フェライト、マグネタイト等の磁性酸化物や、これら芯材表面に樹脂被覆層を有する樹脂コートキャリア、磁性分散型キャリア等を挙げられる。またマトリックス樹脂に導電材料などが分散された樹脂分散型キャリアであってもよい。
【００２３】
１−３−２．トナー
トナーは顔料と樹脂とを含み、樹脂に顔料を分散させて成る。顔料は予め定められた帯域の光を吸収して、反射光に含まれるその帯域の光の強度を低下させる。樹脂は、顔料を分散させて保持するとともに塗布面における光沢度を決定する要因となる。なお、用紙Ｐ等の記録媒体には、上記した帯域の光を反射する割合が、予め定められた閾値Ｖ1以上になるものが用いられる。この閾値Ｖ1は、受光センサーが画像の有無を判定する際に反射光の強度と比較する値に応じて定められている。つまり、用紙Ｐは、予め定められた帯域の入射光を反射する割合が閾値以上である記録媒体の一例である。
【００２４】
（１）顔料
トナーに含まれる顔料は、予め定められた帯域の光として、例えば、７５０ｎｍ〜１０００ｎｍの帯域の赤外線を吸収する赤外線吸収剤を含む。この顔料は、赤外線吸収剤とし
て例えば、下記式（Ｉ）で表されるペリミジン系スクアリリウム色素を含有する。
【００２５】
【化１】
2012159743.tif 000003
【００２６】
（２）樹脂
高光沢トナーおよび低光沢トナーは上述した顔料を分散させる樹脂が異なる。以下、高光沢トナーに含まれる高光沢トナー用樹脂と低光沢トナーに含まれる低光沢トナー用樹脂についてそれぞれ説明する。
【００２７】
高光沢トナー用樹脂および低光沢トナー用樹脂は、いずれも、少なくとも熱可塑性の結着樹脂を含む。この結着樹脂としては、例えば、ポリエステル系樹脂、ポリスチレン系樹脂、ポリアクリル系樹脂、ビニル系樹脂、ポリカーボネート系樹脂、ポリアミド系樹脂、ポリイミド系樹脂、エポキシ系樹脂、ポリウレア系樹脂などの一般トナー用に用いられる公知の樹脂とその共重合体が挙げられる。これらの中でも、用紙との密着性、低温定着性、定着強度、保存性などのトナー特性を同時に満足し得る点でポリエステル系樹脂が好ましい。また、結着樹脂は、重量平均分子量が５０００〜４００００、かつ、ガラス転移点が５５〜７５度未満であることが好ましい。
【００２８】
また、これらの樹脂は、粘弾性調整を目的として、無機粉体を含む。無機粉体としては、トナー表面の外添剤として使用されるものであればよく、具体的には、例えば、シリカ、アルミナ、酸化チタン、チタン酸バリウム、チタン酸マグネシウム、チタン酸カルシウム、チタン酸ストロンチウム、酸化亜鉛、ケイ砂、クレー、雲母、ケイ灰石、ケイソウ土、塩化セリウム、ベンガラ、酸化クロム、酸化セリウム、三酸化アンチモン、酸化マグネシウム、酸化ジルコニウム、炭化ケイ素、窒化ケイ素等が挙げられる。これらの無機粒子は、一般に流動性を向上させる目的で使用される。高光沢トナー用樹脂は、低光沢トナー用樹脂よりも粘弾性が低くなるように上述した無機粉体の量が調整される。粘弾性が低いほど、塗布面における光沢が増すからである。
【００２９】
（３）トナー調製のための試験
トナー調製のために添加される無機粉体の量は、以下の試験を満たすように決定される。
図３は、このトナー調製のための試験を説明するための図である。この試験は、記録媒体の表面Ｓにおける１点である点ＰGの光沢度を測定するものである。同図の光源Ｐ0は、上述した顔料によって吸収される赤外線を入射角αで表面Ｓの点ＰGに向けて照射する。点ＰGを通る表面Ｓの法線Ｎを挟んで光源Ｐ0と線対称の位置に受光点Ｐ1を有する第１受
光センサーが設けられている。すなわち、受光点Ｐ1は、光源Ｐ0から照射される赤外線の反射角が入射角αと等しくなる方向（以下、正反射方向という）に延びる線上にある。また、反射角が入射角αと異なるβである反射方向には、受光点Ｐ2を有する第２受光センサーが設けられている。なお、一般的なスキャナなどの読み取り装置は、正反射の影響を除くため、０ではない入射角（すなわち、α≠０）で光源Ｐ0から表面Ｓの点ＰGに向けて赤外線等の光を照射した場合に、点ＰGを通る表面Ｓの法線Ｎ上にある点Ｐnに受光センサーを設けて、その反射光を検知することが多い。この場合、β＝０すなわち、α≠βであるから、点Ｐnは、反射角が入射角αと異なるβである反射方向に位置する受光点Ｐ2一例である。
【００３０】
第１受光センサー及び第２受光センサーは、いずれも記録媒体の表面Ｓの或る位置から反射される反射光を検知して入射光に対する反射光の割合を測定する。そして、その割合が予め定められた閾値Ｖ1以上である場合には、その位置に画像がないと判定し、その割合が閾値Ｖ1未満である場合には、その位置に画像があると判定する。
【００３１】
図４は、光源Ｐ0から照射される入射光に対する、各受光センサーで検知した反射光の強度の割合を示す図である。受光点Ｐ2を有する第２受光センサーは、正反射方向と異なる方向である特定方向に反射される赤外線を検知し、光源Ｐ0から照射した赤外線をその特定方向に反射する割合を測定する。この特定方向に反射する割合は、図４（ａ）に示すとおりであり、空白領域Ｂにおけるこの割合は、閾値Ｖ1以上であるのに対して、点状画像ＧHおよび点状画像ＧLのそれぞれにおけるこの割合は、いずれも閾値Ｖ1未満である。
【００３２】
一方、受光点Ｐ1を有する第１受光センサーは、光源Ｐ0から照射される入射光（赤外線）にとって正反射方向に設けられており、入射光を正反射方向に反射する割合を測定する。入射光を正反射方向に反射する割合は、図４（ｂ）に示すとおりであり、空白領域Ｂおよび点状画像ＧHのそれぞれにおけるこの割合は、いずれも閾値Ｖ1以上であるのに対して、点状画像ＧLにおけるこの割合は、閾値Ｖ1未満である。
【００３３】
以上説明した条件を満たす点状画像ＧHおよび点状画像ＧLを形成するように、高光沢トナーおよび低光沢トナーは調製される。このため、例えば、高光沢トナー用樹脂には、低光沢トナー用樹脂よりも多くの無機粉体が添加される。
【００３４】
なお、制御部１９、供給部１１、光走査部１２、転写部１４、定着部１５、および現像部１３Ｈは、用紙Ｐの面に、赤外線の入射光を正反射方向に反射する割合が閾値以上になり、特定方向に反射する割合が閾値よりも小さくなる第１画像である点状画像ＧHを高光沢トナーにより形成するので、「予め定められた帯域の入射光を反射する割合が閾値以上である記録媒体の面に、入射光を正反射方向に反射する割合が閾値以上になり、正反射方向以外の特定方向に反射する割合が閾値よりも小さくなる第１画像を形成する第１画像形成手段」の一例である。そして、高光沢トナーは、「画像形成後に、予め定められた帯域の入射光を正反射方向に反射する割合が閾値以上になり、その入射光を正反射方向以外の特定方向に反射する割合が閾値よりも小さくなる第１画像形成材料」の一例である。
【００３５】
また、制御部１９、供給部１１、光走査部１２、転写部１４、定着部１５、および現像部１３Ｌは、用紙Ｐの面のうち、点状画像ＧHが形成された位置と異なる位置に、赤外線の入射光を正反射方向及び特定方向に反射する割合が閾値よりも小さくなる第２画像を低光沢トナーにより形成するので、「入射光を正反射方向及び特定方向に反射する割合が閾値よりも小さくなる第２画像を、記録媒体の面のうち、当該第１画像が形成された位置と異なる位置に形成する第２画像形成手段」の一例である。そして、低光沢トナーは、「画像形成後に、予め定められた帯域の入射光を正反射方向及び特定方向に反射する割合が閾値よりも小さくなる第２画像形成材料」の一例である。
【００３６】
１−４．記録媒体
上記のように調製された各トナーを用いる画像形成装置１により、トナーごとに対応付けられた画像データの画像が形成された記録媒体について説明する。
図５は、画像形成装置１により画像が形成された記録媒体の一例を示す図である。例えば、図５（ａ）に示すように、縦線３本と横線３本とがそれぞれ交差する９つの点上には、５箇所に点状画像ＧHが、３箇所に点状画像ＧLがそれぞれ形成され、これ以外の１箇所は点状画像ＧHおよび点状画像ＧLのいずれも形成されていない空白領域Ｂとなっているとする。このとき、上述した第２受光センサーが、入射光を特定方向に反射する割合が閾値Ｖ1未満である領域と閾値Ｖ1以上である領域とを区別して検知すると、空白領域Ｂと点状画像ＧHおよび空白領域Ｂと点状画像ＧLのそれぞれは区別されるが、点状画像ＧHと点状画像ＧLとの区別はされない。したがって、この場合第２受光センサーは、図５（ａ）に示す画像と、この画像の点状画像ＧHを全て点状画像ＧLに置き換えた図５（ｂ）に示す画像とを区別しないので、点状画像ＧLのみによって示される画像を得ることがない。
【００３７】
一方、上述した第１受光センサーが、入射光を正反射方向に反射する割合が閾値Ｖ1未満である領域と閾値Ｖ1以上である領域とを区別して検知すると、空白領域Ｂと点状画像ＧHとは区別されないが、点状画像ＧHと点状画像ＧLとは区別される。したがって、この場合第１受光センサーは、図５（ａ）に示す画像と、この画像の点状画像ＧHを全て空白領域Ｂに置き換えた図５（ｃ）に示す画像、すなわち点状画像ＧLのみが配置された画像と区別されないので、点状画像ＧLのみによって示される画像を得る。
【００３８】
例えば、第２受光センサーとして、正反射方向に反射する光を受けない位置に受光部を有するスキャナが挙げられる。スキャナは正反射方向に反射する光を受けないように設計されているため、例えば正反射方向ではない特定方向にセンサーを設けて、その特定方向に反射する光を検知する。したがって、スキャナは、点状画像ＧHと点状画像ＧLとを区別することがなく、点状画像ＧLのみによって示される画像を得ることはない。したがって、この画像形成装置１によれば、スキャナやコピー機などによる画像情報の複製が制限される。
【００３９】
一方、第１受光センサーとして、記録媒体から光を受ける角度を自由に変えられるペン状デバイスが挙げられる。このペン状デバイスは、記録媒体に配置された点状画像のパターンを読み取って、予め定められたパターンと照合し、読み取った部分の記録媒体上における位置を示す情報を特定するものであってもよい。この場合、このペン状デバイスにより、記録媒体の表面から正反射方向に反射された反射光を受光するように読み取り部分の角度を調整し、これを表面上に沿って動かすことによって文字や図形など（以下、文字等という）を描くと、その文字等の形状と、その文字等の記録媒体上における位置とが特定される。これにより、ペン状デバイスは、描いた文字等をデジタル情報として記憶する。
【００４０】
以上、説明したように、正反射方向ではない特定方向への反射光を検知する場合には、２つの点状画像ＧH，ＧLは区別されないため、点状画像ＧHによって示される画像が点状画像ＧLのみによって示される画像を隠蔽することとなる。一方、正反射方向に反射する光を検知する場合には、点状画像ＧHの光沢によって入射光が正反射方向に反射する割合が閾値以上となるため、点状画像ＧHによる画像が空白領域と区別がつかなくなる。すなわち、２つの点状画像ＧH，ＧLは区別されるため、点状画像ＧLのみによって示される画像が顕現する。このように、画像形成装置１によれば、読み取りに際して、例えば上述した特許文献１のように別途、熱処理をすることなく、単に読み取り角度を変えるだけで読み取り可能な２種類の画像を、記録媒体上に重畳して形成する。
【００４１】
２．変形例
以上が実施形態の説明であるが、この実施形態の内容は以下のように変形し得る。また、以下の変形例を組み合わせてもよい。
２−１．変形例１
上述した実施形態において、顔料は、赤外線吸収剤として例えば、式（Ｉ）で表されるペリミジン系スクアリリウム色素を含有していたが、他の赤外線吸収剤を含有していてもよい。また、顔料は、予め定められた帯域の光として赤外線を吸収する赤外線吸収剤を含むものであったが、赤外線以外の帯域の光を吸収する吸収剤を含むものであってもよい。すなわち、顔料は、赤外線を吸収するものであっても、赤外線を吸収せず、赤外線以外の帯域の光を吸収するものであってもよい。要するに、顔料は、予め定められた帯域の光を吸収するものであればよい。
【００４２】
２−２．変形例２
上述した実施形態において、各トナーに添加される無機粉体の量は、トナー調製のための試験を満たすように決定されていたが、上述した試験に代えて、ＪＩＳ規格Ｐ８１４２の試験を行ってもよい。この場合、高光沢トナーは、記録媒体上に配置された領域においてＪＩＳ規格Ｐ８１４２に基づく７５度鏡面光沢度が２５以上であり、低光沢トナーは、記録媒体上に配置された領域においてこの７５度鏡面光沢度が２０未満であることが望ましい。
【００４３】
２−３．変形例３
上述した実施形態において、画像形成装置１は、中間転写ベルト１４１の周回方向における上流側に現像部１３Ｌが、下流側に現像部１３Ｈがそれぞれ設けられていたが、これら現像部１３の配置は逆であってもよい。
【００４４】
また、上述した実施形態において、画像形成装置１は、現像部１３を２つ備えていたが、現像部１３を３つ以上備えていてもよい。この場合、各現像部１３は、それぞれ異なるトナーを用いて感光体ドラム１３１に画像を形成すればよい。
【００４５】
例えば、現像部１３が３つある場合、高光沢トナーを用いる現像部１３Ｈと、低光沢トナーを用いる現像部１３Ｌに加え、高光沢トナーよりも光沢度が低く低光沢トナーよりも光沢度が高い中間光沢トナーを用いる現像部１３Ｍを有する構成であってもよい。
【００４６】
この場合、高光沢トナーによる点状画像ＧH、低光沢トナーによる点状画像ＧL、中間光沢トナーによる点状画像ＧM、はいずれも第２受光センサーにより測定される、入射光を特定方向に反射する割合は閾値Ｖ1未満となるため、これら３種類の点状画像は第２受光センサーによって区別されない。一方、第１受光センサーにより測定される、入射光を正反射方向に反射する割合が、点状画像ＧLは閾値Ｖ1未満となり、点状画像ＧMは閾値Ｖ1以上閾値Ｖ2未満（Ｖ1＜Ｖ2）となり、点状画像ＧH、は閾値Ｖ2以上閾値Ｖ3未満（Ｖ2＜Ｖ3）となるように、各トナーの樹脂に添加する無機粉体の量が調節されているのであれば、第１受光センサーが閾値Ｖ1，Ｖ2，Ｖ3との比較によって、入射光を正反射方向に反射する割合を区別することにより、点状画像ＧL，ＧM，ＧHは区別される。したがって、第１受光センサーは、各トナーにそれぞれ対応付けられた画像データの画像を得る。
【００４７】
なお、この場合、点状画像ＧLと点状画像ＧMとが区別されるのであれば、点状画像ＧMと点状画像ＧHとは区別されなくてもよく、また、点状画像ＧMと点状画像ＧHとを区別されるのであれば、点状画像ＧMと点状画像ＧLとは区別されなくてもよい。要するに、複数の水準に光沢度が区分されるトナーによってそれぞれ形成された複数種類の点状画像のうち、２種類以上が区別可能であればよい。
【００４８】
また、これら現像部１３に加えて、異なる顔料を含んだ別のトナーにより画像を形成す
る現像部を中間転写ベルト１４１の周回上に設けてもよい。例えば、現像部１３Ｈ，１３Ｌに加えて、シアン、マゼンタ、イエロー、ブラックなど、可視光（例えば、波長が４００〜７００ｎｍの光）に対応した吸収帯域を有する顔料を含んだ現像部を設けた場合には、記録媒体上に赤外線の受光センサーに検知される不可視画像のほか、人間に視認される可視画像が形成される。
【００４９】
２−４．変形例４
上述した実施形態において、高光沢トナーによる点状画像ＧHは、入射光を正反射方向に反射する割合が閾値Ｖ1以上であって空白領域Ｂよりも低かったが、点状画像ＧHは、入射光を正反射方向に反射する割合が空白領域Ｂよりも高くてもよい。
【００５０】
また、閾値Ｖ1は空白領域Ｂの、入射光を正反射方向に反射する割合より低く定められていたが、空白領域Ｂを基準として定められていてもよい。この場合、点状画像ＧHは、入射光を正反射方向に反射する割合が空白領域Ｂ以上になるとともに、入射光を特定方向に反射する割合が空白領域Ｂよりも小さくなる。そして、点状画像ＧLは、入射光を正反射方向及び特定方向に反射する割合が空白領域Ｂよりも小さくなる。
【００５１】
この場合、高光沢トナーは、「画像形成後に記録媒体上において、予め定められた帯域の入射光を正反射方向に反射する割合が記録媒体以上になり、入射光を正反射方向以外の特定方向に反射する割合が記録媒体よりも小さくなる第１画像形成材料」の一例である。
そして、低光沢トナーは、「画像形成後に記録媒体上において、入射光を正反射方向及び特定方向に反射する割合が記録媒体よりも小さくなる第２画像形成材料」の一例である。
【００５２】
２−５．変形例５
上述した実施形態において、点状画像は円形のドットであったが、ドットの形状は円形に限られず、例えば矩形であってもよい。
また、上述した実施形態において、点状画像は、格子状に仮想的な縦線と横線とを引いた場合に、それら各線の交差点上に配置されていたが、この交差点からずれた位置に配置されてもよい。そして、このずれの量や方向を点状画像ごとに定め、各点状画像がそれぞれ対応する交差点からずれている量や方向の組み合わせによって、情報を表してもよい。
また、格子の間隔としては様々な値が採用し得るが、例えば、記録媒体がＩＳＯ２１６に定めるＡ４サイズ（２１０ｍｍ×２９７ｍｍ）である場合に、格子の間隔を０．３ｍｍ程度とすると、点状画像の配置パターンの数は、記録媒体上の位置を特定するのに充分な量となるので望ましい。
【００５３】
２−６．変形例６
上述した実施形態において、複数の点状画像が用紙Ｐ上に格子状に配置され、その配置パターンに応じた情報を示す画像が形成されていたが、用紙Ｐ上に形成される画像は点状画像に限られない。例えば、１次元のバーコードのように、複数種類の太さを有する線分が平行に配置されることで、その配置パターンに応じた情報を示す画像が形成されてもよい。
【００５４】
また、複数の画像の配置パターンに応じて、特定の情報を示す画像が形成されるのではなく、１つの連結された領域に形成された画像の形状や大きさなどによって、その特定の情報を示す画像が形成されてもよい。例えば、現像部１３Ｈ、転写部１４および定着部１５により高光沢トナーが、供給部１１によって供給された用紙Ｐの面のうち、１つの連結された領域である連結領域として、用紙Ｐが閲覧される向きの上下方向に延びる１本の線上に塗布・定着されると、この１本の線が、高光沢トナーによる第１の画像として形成される。また、現像部１３Ｌ、転写部１４および定着部１５により低光沢トナーが、供給部
１１によって供給された用紙Ｐの面のうち、上述した連結領域以外の領域として、上述した１本の線の左右に隣り合う２つの矩形に塗布・定着されると、この２つの矩形が、低光沢トナーによる第２の画像として形成される。この場合であっても、用紙Ｐのこの面に入射する入射光が特定方向に反射する割合は、第１の画像および第２の画像のいずれにおいても閾値より小さいので、特定方向に設置された第２受光センサーは、第２の画像を第１の画像と区別して検出しない。一方、用紙Ｐのこの面に入射する入射光が正反射方向に反射する割合は、第２の画像においては閾値より小さいが、第１の画像においては閾値以上である。したがって、正反射方向に設置された第１受光センサーは、第２の画像を第１の画像と区別して検出する。
【００５５】
２−７．変形例７
上述した実施形態において、点状画像ＧHにより入射光を正反射方向に反射する反射光の割合が閾値Ｖ1を超えるため、正反射方向に設けられた受光センサーにより点状画像ＧHと点状画像ＧLとが区別され、点状画像ＧLのみによって示される画像が認識されていた。すなわち、正反射方向ではない特定方向に設けられた受光センサーに対して、高光沢トナーで形成した画像により、低光沢トナーで形成した画像を隠す効果があったが、低光沢トナーで形成した画像だけでは完成していない画像に、高光沢トナーで形成した画像を加えることによって、読み取り装置に完成した画像を認識させるようにしてもよい。この場合、正反射方向に反射する反射光を検知する受光センサーでは目的の画像が読み取られることはないが、正反射方向ではない特定方向に反射する反射光を検知する受光センサーでは目的の画像が読み取られる。
【符号の説明】
【００５６】
１…画像形成装置、１１…供給部、１２…光走査部、１３…現像部、１３１…感光体ドラム、１３，１３Ｈ，１３Ｌ…現像部、１４…転写部、１４１…中間転写ベルト、１４２…ベルト搬送ロール、１４３…二次転写ロール、１４４…クリーナバックアップロール、１４５…ステアリングロール、１４６…張架ロール、１４７，１４７Ｈ，１４７Ｌ…一次転写ロール、１４９…ベルトクリーナ、１５…定着部、１６…排出部、１９…制御部、２…外部機器、Ｂ…空白領域、ＧH、ＧL…点状画像。
【図１】
2012159743.tif 000004
【図２】
2012159743.tif 000005
【図３】
2012159743.tif 000006
【図４】
2012159743.tif 000007
【図５】
2012159743.tif 000008